(57)【要約】【課題】垂直配向型液晶パネルを備えた投写型映像表示装置において、光学的補償プレートの組込み構造を簡略化することにより光学系部品の冷却効果を向上可能にすること。【解決手段】本発明に係る投写型映像表示装置は、一対の対向基板間に液晶を封入した垂直配向型液晶パネル１と、垂直配向型液晶パネル１の入射側に配置された偏光板２と、この偏光板２に対し双方の吸収軸２ａ，３ａが互いに直交するように垂直配向型液晶パネル１の出射側に配置された偏光板３とを備えている。そして、垂直配向型液晶パネル１の対向基板の外表面に、フィルム面内のｘ、ｙ方向の屈折率ｎｘ，ｎｙとフィルムの厚み方向の屈折率ｎｚとがｎｘ＝ｎｙ＞ｎｚの関係を有する−Ｃ−プレート４が積層されている。このようにして、−Ｃ−プレート４が垂直配向型液晶パネル１と偏光板２，３との間に配置されている。【選択図】図１
2011013504.tif 000002
【特許請求の範囲】
【請求項１】
一対の対向基板間に液晶を封入した垂直配向型液晶パネルと、垂直配向型液晶パネルの入射側に配置された入射側の偏光板と、この入射側の偏光板に対し双方の吸収軸が互いに直交するように垂直配向型液晶パネルの出射側に配置された出射側の偏光板とを有する液晶ライトバルブを備えた投写型映像表示装置において、フィルム面内のｘ、ｙ方向の屈折率をｎｘ，ｎｙとし、フィルムの厚み方向の屈折率をｎｚとした場合においてｎｘ＝ｎｙ＞ｎｚの関係を有する−Ｃ−プレートが、前記垂直配向型液晶パネルの対向基板の外表面に接着して積層されていることを特徴とする投写型映像表示装置。
【請求項２】
請求項１記載の前記投写型映像表示装置は、ビジネス用投写型映像表示装置であることを特徴とする投写型映像表示装置。
【請求項３】
前記−Ｃ−プレートを垂直配向型液晶パネルの対向基板の外表面に接着するための接着剤は、等方性を有し、かつ、熱変化による光学特性の変化が小さいものであることを特徴とする請求項１又は２記載の投写型映像表示装置。
【請求項４】
前記−Ｃ−プレートを垂直配向型液晶パネルの対向基板の外表面に接着するための接着剤は、アクリル酸アルキルエステルを成分とするアクリル系ポリマーを用いたアクリル系感圧性接着剤であることを特徴とする請求項３記載の投写型映像表示装置。
【請求項５】
前記−Ｃ−プレートは、垂直配向型液晶パネルにおける出射側の対向基板に積層されていることを特徴とする請求項１〜４の何れか１項に記載の投写型映像表示装置。
【請求項６】
前記−Ｃ−プレートは、垂直配向型液晶パネルにおける入射側の対向基板に積層されていることを特徴とする請求項１〜４の何れか１項に記載の投写型映像表示装置。
【請求項７】
請求項１〜６の何れか１項に記載の投写型映像表示装置において、対向基板に−Ｃ−プレートが接着して積層された前記垂直配向型液晶パネルと入射側又は出射側の偏光板との間に、フィルム面内のｘ、ｙ方向の屈折率ｎｘ，ｎｙとフィルムの厚み方向の屈折率ｎｚとがｎｘ＞ｎｙ＝ｎｚの関係を有するＡ−プレートが配置されるとともに、このＡ−プレートの光軸が隣接する偏光板の吸収軸に対し垂直となるように構成されていることを特徴とする投写型映像表示装置。
【請求項８】
前記Ａ−プレートがガラス基板に積層され、このＡ−プレートを積層したガラス基板が、隣接する偏光板の表面に垂直な軸を中心とした回転方向に回転角度を調整できるように取り付けられていることを特徴とする請求項７記載の投写型映像表示装置。
【請求項９】
前記Ａ−プレートは、垂直配向型液晶パネルと出射側の偏光板との間に配置されていることを特徴とする請求項８記載の投写型映像表示装置。
【請求項１０】
前記Ａ−プレートは、垂直配向型液晶パネルと入射側の偏光板との間に配置されていることを特徴とする請求項８記載の投写型映像表示装置。
【発明の詳細な説明】
【技術分野】
【０００１】
本発明は、ライトバルブとして垂直配向型液晶パネルを利用した投写型映像表示装置に関し、特に、垂直配向型液晶パネルにおける複屈折性による残留位相差を補償する位相差板を用いた投写型映像表示装置に関する。
【背景技術】
【０００２】
投写型テレビなどに用いられる投写型映像表示装置として、垂直配向型液晶パネルと、垂直配向型液晶パネルの入射側に配置された偏光板と、この入射側の偏光板に対し吸収軸が互いに直交するように垂直配向型液晶パネルの出射側に配置された偏光板とを有する液晶ライトバルブを備えたものが用いられている。このような投写型映像表示装置は、垂直配向型液晶パネル自身が有する複屈折性により残留位相差が発生し、二重に光が見えコントラストが低下するという問題があった。また、このような投写型映像表示装置には、偏光板の偏光軸直交性に関係するコントラスト低下の問題があった。すなわち、入射側の偏光板と出射側の偏光板とが吸収軸を互いに直交するように（所謂クロスニコルに）配置されていることにより、入射側の偏光板に対し角度を持って入射した光は垂直配向型液晶パネルを通過して出射側の偏光板に到達しても所望の状態となっておらず、光漏れを起しコントラストが低下するという問題があった。
【０００３】
このような問題に対し従来は、光学的補償フィルムにより問題の解決が図られていた。すなわち、垂直配向型液晶パネル自身が有する複屈折性に対しては、光学的補償フィルムの一つである−Ｃ−プレートを用いることにより液晶パネルとの間で位相差を打ち消し合うようにすれば、互いに補償し合う理想的な状態となるため効果的に残留位相差を補償できることが知られている。また、所謂クロスニコルに配置された偏光板の偏光軸直交性に関係するコントラスト低下の問題に対しては、他の光学的補償フィルムの一つであるＡ−プレートを光路内に配置する方法が知られている。なお、この場合Ａ−プレートの光軸が隣接する偏光板の吸収軸に垂直になるように、Ａ−プレートを配置することが有効であるとされている。ここで、−Ｃ−プレートは、フィルム面内において直交する二軸を成すｘ軸及びｙ軸の屈折率をｎｘ及びｎｙとし、フィルムの厚み方向の屈折率をｎｚとした場合にｎｘ＝ｎｙ＞ｎｚなるプレートをいい、Ａ−プレートは、ｎｘ，ｎｙ及びｎｚを上記のように定義した場合において、ｎｘ＞ｎｙ＝ｎｚなるプレートをいう。
【０００４】
このような投写型映像表示装置における液晶ライトバルブの一例を図６に示す。図６の液晶ライトバルブは、垂直配向型液晶パネル１０１と、垂直配向型液晶パネル１０１の入射側に配設された偏光板１０２、垂直配向型液晶パネル１０１の出射側に配設された偏光板１０３と、垂直配向型液晶パネル１０１と出射側の偏光板１０３との間に配設された−Ｃ−プレート１０４及びＡ−プレート１０５とを備えている。そして、偏光板１０２と偏光板１０３とは、それぞれの吸収軸１０２ａ、１０３ａが互いに直交するように配設されている。また、−Ｃ−プレート１０４及びＡ−プレート１０５は、光学的補償フィルムとしてそれぞれガラス基板１０４ａ，１０５ａの表面に接着により積層されて組み込まれている。なお、このような投写型映像表示装置を記載した文献例として特許文献１を挙げることができる。
【０００５】
−Ｃ−プレート１０４は、前述のように本来的には、垂直配向型液晶パネル１０１における残存位相差を打ち消すためのものであるが、垂直配向型液晶パネル１０１における液晶分子のプレティルトが作用して、見る角度によって視覚特性が変動するという問題に対する解決を成すものとして構成されている。このため、−Ｃ−プレート１０４の外表面を垂直配向型液晶パネル１０１に対しプレティルトに合わせて傾斜させることが行われていた。しかしながら、垂直配向型液晶パネル１０１における液晶分子のプレティルトは、出来上がった液晶パネル毎にバラツキが存在している。そこで、従来は、垂直配向型液晶パネル１０１の外表面に対する−Ｃ−プレート１０４の外表面の傾斜角度を調整して、前記見る角度による視覚特性の変動を緩和することが行われていた。
【０００６】
この調整は、入射側の偏光板１０２の吸収軸１０２ａに平行であり、かつ、入射側の偏光板１０２の表面に平行な軸を中心とした回転方向、すなわち、図示座標軸におけるＹ−Ｚ面内の回転方向Ｒｂの傾斜角度を調整するものである。また、このような回転方向Ｒｂの傾斜角度を調整するために、−Ｃ−プレート１０４を表面に積層したガラス基板１０４ａの、回転方向Ｒｂの傾斜角度が調整されていた。
【０００７】
一方、ガラス基板１０５ａの表面に積層されたＡ−プレート１０５については、Ａ−プレート１０５の光軸１０５ｂと隣接する出射側の偏光板１０３の吸収軸１０３ａとが垂直になるように配置されている。ただし、この垂直性の精度を高めるために、Ａ−プレート１０５の光軸１０５ｂの方向を製品毎に調整できるように調整可能に構成されていた。
【０００８】
このように光軸１０５ｂの方向を製品毎に調整しなければならないのは、次のような理由による。第１の理由は、Ａ−プレート１０５の切り出し位置誤差があるからである。Ａ−プレート１０５は、大きなフィルムから所定の位置で切り出されて所定寸法のフィルムに仕上げられている。このため、切り出し位置に誤差が生じることがある。第２の理由は、ガラス基板１０５ａの表面に接着して積層する場合に、接着位置がずれる場合があり得る。これらの場合には、Ａ−プレート１０５を積層するガラス基板１０５ａ自体は光路内において正確な位置に取り付けられたとしても、Ａ−プレート１０５の光軸１０５ｂにバラツキが存在しているため、光軸１０５ｂが一定にはならない。つまり、光軸１０５ｂと隣接する出射側の偏光板１０３の吸収軸１０３ａとの垂直性が保持されないことになる。また、このように垂直性が保持されない場合には、偏光軸直交性に関係するコントラストの低下の問題に対し十分な補償効果を得ることができないことになる。
【０００９】
そこで、このような問題を回避するために、Ａ−プレート１０５を表面に積層したガラス基板１０５ａは、隣接する出射側の偏光板１０３の吸収軸１０３ａと垂直であり、かつ、出射側の偏光板１０３の表面に垂直な軸を中心として、回転方向Ｒａの方向に回転角度を調整可能に構成されている。そして、このように調整することにより、Ａ−プレート１０５の光軸１０５ｂと隣接する出射側の偏光板１０３の吸収軸１０３ａとが垂直になるように調整されていた。なお、回転方向Ｒａは、図示座標軸におけるＸ−Ｙ面内の回転方向である。
【先行技術文献】
【特許文献】
【００１０】
【特許文献１】特表２００６−５１５０８号公報
【発明の概要】
【発明が解決しようとする課題】
【００１１】
ところで、近年、ビジネス用投写型映像表示装置においては、室内の高照度化に合わせて表示画面を高輝度化することが強く要望されている。ビジネス用投写型映像表示装置は、この点において、高コントラスト化が最優先的に要望されているシネマ用投写型映像表示装置とは相違している。このため、最近のビジネス用投写型映像表示装置は、光源の高輝度化が必要となるとともに光学系機器の冷却能力の増大が必要であり、光学系機器への送風量の増加が必要となってきている。しかしながら、従来のビジネス用の投写型映像表示装置においては、−Ｃ−プレート１０４やＡ−プレート１０５を積層するガラス基板１０４ａ，１０５ａの組み込みに必要なスペースが大きいため、装置寸法を大きくすることなしには送風量の増加を可能とする通風路スペースの確保が困難であった。
【００１２】
また、このビジネス用投写型映像表示装置においては、高コントラスト化の優先度が低いため、垂直配向型液晶パネル１０１における液晶分子のプレティルトに起因する視覚特性の変動についての補償の優先度が低いという状況にあった。
【００１３】
本発明は、このような背景の下に成されたものであって、垂直配向型液晶パネルを備えた投写型映像表示装置において、光学的補償プレートの組込み構造を簡略化することにより光学系部品の冷却効果を向上可能にした投写型映像表示装置を提供することを目的とする。
【課題を解決するための手段】
【００１４】
本発明に係る投写型映像表示装置は、一対の対向基板間に液晶を封入した垂直配向型液晶パネルと、垂直配向型液晶パネルの入射側に配置された入射側の偏光板と、この入射側の偏光板に対し双方の吸収軸が互いに直交するように垂直配向型液晶パネルの出射側に配置された出射側の偏光板とを有する液晶ライトバルブを備えた投写型映像表示装置において、フィルム面内のｘ、ｙ方向の屈折率をｎｘ，ｎｙとし、フィルムの厚み方向の屈折率をｎｚとした場合においてｎｘ＝ｎｙ＞ｎｚの関係を有する−Ｃ−プレートが、前記垂直配向型液晶パネルの対向基板の外表面に接着して積層されていることを特徴とする。
【００１５】
このような構成によれば、−Ｃ−プレートが垂直配向型液晶パネルの対向基板の外表面に接着して積層されているため、垂直配向型液晶パネルの残留位相差に起因するコントラストの低下を緩和することができる。また、従来必要とされていた−Ｃ−プレートを積層するガラス基板を組み込むためのスペースや、このガラス基板の傾斜角度の調整機構を設けるためのスペースが不要となる。これにより、−Ｃ−プレートは、液晶分子のプレティルトのばらつきに起因する所謂見る角度による視覚特性の変動を補償する機能は発揮できなくなるが、冷却空気の通風路としてのスペースを拡大し、低騒音を維持しながら冷却性能を向上させることが可能となる。
【００１６】
前記投写型映像表示装置は、ビジネス用投写型映像表示装置であることが好ましい。このような構成によれば、高コントラスト化よりも高輝度化の優先度が高いという市場ニーズを有するビジネス用投写型映像表示装置にマッチした製品を提供することができる。
【００１７】
前記−Ｃ−プレートを垂直配向型液晶パネルの対向基板の外表面に接着するための接着剤は、等方性を有し、かつ、熱変化による光学特性の変化が小さいものであることが好ましい。このような接着剤を使用しない場合は、コントラストにより部分的に温度が不均一となり、部分的にフィルムが伸縮される現象が繰り返されることにより、終には経年変化してフィルム面上に皺が形成される。このため、フィルム面上における屈折率の均一性が失われ、垂直配向型液晶パネルにおける残留位相差を補償する機能が損なわれる恐れがある。しかしながら、上述のような接着剤を用いることにより、このような弊害を抑制することができる。
【００１８】
また、前記接着剤としては、具体的には、アクリル酸アルキルエステルを成分とするアクリル系ポリマーを用いたアクリル系感圧性接着剤であることが好ましい。このような接着剤を用いることにより、前述の皺の発生を抑制し、垂直配向型液晶パネルにおける残留位相差を補償する機能の劣化を抑制することができる。
【００１９】
また、前記−Ｃ−プレートは、垂直配向型液晶パネルにおける出射側の対向基板に積層されたものとしてもよい。このような構成によれば、垂直配向型液晶パネルと出射側の偏光板との間に−Ｃ−プレートを配置していた従来品について、構成機器の配置順序に共通性を残しながら、冷却空気の通風路としてのスペースを拡大して冷却性能を向上させることが可能となる。
【００２０】
また、前記−Ｃ−プレートは、垂直配向型液晶パネルにおける入射側の対向基板に積層されたものとしてもよい。このような構成によれば、垂直配向型液晶パネルと入射側の偏光板との間に−Ｃ−プレートを配置していた従来品について、構成機器の配置順序に共通性を残しながら、冷却空気の通風路としてのスペースを拡大して冷却性能を向上させることが可能となる。
【００２１】
また、上記のような投写型映像表示装置において、対向基板に−Ｃ−プレートが接着して積層された前記垂直配向型液晶パネルと入射側又は出射側の偏光板との間に、フィルム面内のｘ、ｙ方向の屈折率ｎｘ，ｎｙとフィルムの厚み方向の屈折率ｎｚとがｎｘ＞ｎｙ＝ｎｚの関係を有するＡ−プレートが配置されるとともに、このＡ−プレートの光軸が隣接する偏光板の吸収軸に対し垂直となるように構成されているように構成してもよい。このような構成によれば、所謂クロスニコルに配置された偏光板の偏光軸直交性に関係するコントラスト低下の問題を緩和することができる。
【００２２】
前記Ａ−プレートがガラス基板に積層され、このＡ−プレートを積層したガラス基板が、隣接する偏光板の表面に垂直な軸を中心とした回転方向に回転角度を調整できるように取り付けられているようにしてもよい。このような構成によれば、Ａ−プレートは、ガラス基板に積層されているので組み込み作業が容易化される。また、このガラス基板を隣接する偏光板の表面に垂直な軸を中心とした回転方向の回転角度を調整することにより、Ａ−プレートの光軸の方向についての誤差を調整することができ、Ａ−プレートによる補償効果を確実化することができる。また、−Ｃ−プレートが垂直配向型液晶パネルの対向基板の外表面に積層されているので、位相差板の調整作業としては、従来のように２箇所で調整する必要がなく、Ａ−プレートについてのみ行えばよく、光学的補償プレートの調整作業が大幅に簡易化される。
【００２３】
前記Ａ−プレートは、垂直配向型液晶パネルと出射側の偏光板との間に配置されているようにしてもよい。このような構成によれば、垂直配向型液晶パネルと出射側の偏光板との間にＡ−プレートを配置していた従来品について、構成機器の配置順序に共通性を残しながら、冷却空気の通風路としてのスペースを拡大して冷却性能を向上させることが可能となる。
【００２４】
前記Ａ−プレートは、垂直配向型液晶パネルと入射側の偏光板との間に配置されているようにしてもよい。このような構成によれば、垂直配向型液晶パネルと入射側の偏光板との間にＡ−プレートを配置していた従来品について、構成機器の配置順序に共通性を残しながら、冷却空気の通風路としてのスペースを拡大して冷却性能を向上させることが可能となる。
【発明の効果】
【００２５】
本発明に係る投写型映像表示装置によれば、−Ｃ−プレートが垂直配向型液晶パネルの対向基板の外表面に接着して積層されるため、垂直配向型液晶パネルの残留位相差に起因するコントラストの低下を緩和することができる。また、従来必要とされていた−Ｃ−プレートを積層するガラス基板を組み込むためのスペースや、このガラス基板の傾斜角度の調整機構を設けるためのスペースが不要となるため、冷却空気の通風路としてのスペースを拡大し、低騒音を維持しながら冷却性能を向上させることが可能となる。
【図面の簡単な説明】
【００２６】
【図１】本発明の実施の形態１に係る投写型映像表示装置の液晶ライトバルブの構成図であり、（ａ）は全体構成を示す斜視図であり、（ｂ）は（ａ）図示状態における垂直配向型液晶パネルの上面図である。
【図２】同投写型映像表示装置におけるＡ−プレートの回転角度の調整によるコントラスト変化の説明図である。
【図３】本発明の実施の形態２に係る投写型映像表示装置の液晶ライトバルブの構成図であり、（ａ）は全体構成を示す斜視図であり、（ｂ）は（ａ）図示状態における垂直配向型液晶パネルの上面図である。
【図４】本発明の実施の形態３に係る投写型映像表示装置の液晶ライトバルブの全体構成を示す斜視図である。
【図５】本発明の実施の形態４に係る投写型映像表示装置の液晶ライトバルブの全体構成を示す斜視図である。
【図６】従来例に係る投写型映像表示装置の液晶ライトバルブの全体構成を示す斜視図である。
【発明を実施するための形態】
【００２７】
（実施の形態１）
以下、本発明の実施の形態１に係る投写型映像表示装置における液晶ライトバルブについて、図１に従い説明する。
【００２８】
本実施の形態に係る投写型映像表示装置における液晶ライトバルブは、３板式の液晶プロジェクタ等の液晶ライトバルブとして用いられるものであって、垂直配向型液晶パネル１の入射側に偏光板２が配置され、垂直配向型液晶パネル１の出射側に偏光板３が配置されている。また、垂直配向型液晶パネル１と出射側の偏光板３との間に、光学的補償フィルムとしての−Ｃ−プレート４とＡ−プレート５とが配設されている。−Ｃ−プレートは、フィルム面内において直交する二軸を成すｘ軸及びｙ軸の屈折率をｎｘ及びｎｙとし、フィルムの厚み方向の屈折率をｎｚとした場合にｎｘ＝ｎｙ＞ｎｚなるプレートである。Ａ−プレートは、ｎｘ，ｎｙ及びｎｚを上記のように定義した場合において、ｎｘ＞ｎｙ＝ｎｚなるプレートである。
【００２９】
垂直配向型液晶パネル（ＶＡ型液晶パネル）１は、一対の対向基板間に誘電率異方性の液晶物質が封入され、電圧非印加時に液晶分子の長軸が基板法線方向に配向され、電圧印加時に電気力線で液晶分子を傾かせる従来公知の方式のものであって、入力された映像情報に基づき映像を表示するように印加電圧が制御される。また、この垂直配向型液晶パネル１を通過した光は、このパネル内の液晶層を通過するときに液晶分子の配向により複屈折を生じ、残留位相差が発生する。
【００３０】
垂直配向型液晶パネル１の両側に配置される入射側の偏光板２及び出射側の偏光板３は、従来一般の投写型映像表示装置におけるものと同様に偏光子あるいは検光子として作用するように、吸収軸２ａ、３ａを互いに直交させる、所謂ニコルクロスに配置されている。
【００３１】
光学的補償フィルムとしての−Ｃ−プレート４は、垂直配向型液晶パネル１の複屈折性に起因する残留位相差を打ち消すように作用するもので、これにより二重に光が見えコントラストが低下するという問題を解消するものである。また、−Ｃ−プレート４は、この実施の形態においては、垂直配向型液晶パネル１の出射側の対向基板の外側表面に接着剤６により接着されて積層されている。したがって、従来のように垂直配向型液晶パネル１に対する傾斜角度を調節可能としたガラス基板の外表面に−Ｃ−プレートが積層されたものとは異なる。
【００３２】
−Ｃ−プレート４を垂直配向型液晶パネル１の外表面に接着する接着剤６としては、等方性を有し、かつ、熱変化等の環境変化による光学特性の変化が小さいものを用いることが望ましく、例えば粘着シート等の感圧性接着剤、紫外線硬化型あるいは熱硬化型接着剤を用いることが好ましい。このようなものとして具体的には、例えば、アクリル酸アルキルエステルを成分とするアクリル系ポリマーを用いたアクリル系感圧性接着剤が用いられている。
【００３３】
光学的補償フィルムとしてのＡ−プレート５は、入射側の偏光板２と出射側の偏光板３とがクロスニコルに配置されることによるコントラスト低下の問題を解決するものである。このＡ−プレート５は、従来のものと同様に、Ａ−プレート５の光軸５ａと、隣接する偏光板である出射側の偏光板３の吸収軸３ａとが垂直となるようにガラス基板７の表面に接着により積層されている。しかし、Ａ−プレート５の光軸５ａの向きは、前述のように通常バラツキがある。そこで、このバラツキを補償するために、Ａ−プレート５が表面に積層されたガラス基板７は、隣接する出射側の偏光板３の表面に垂直な軸を中心とした回転方向Ｒａの回転角度が調整可能に構成されている。回転方向Ｒａは、図１に図示された座標軸におけるＸ−Ｙ面内の回転方向となる。
【００３４】
このように構成された投写型映像表示装置は、次のように作用する。
投写型映像表示装置に入射した全方位の映像光は、投写型映像表示装置の各画素において、入射側の偏光板２で偏光されて垂直配向型液晶パネル１に入射されるとともに、垂直配向型液晶パネル１を透過する光量が制御され、さらに、出射側の偏光板３により検光されて出射される。このように、各画素における垂直配向型液晶パネル１の透過光量が調節されることにより映像光としてスクリーンに投写される。
【００３５】
この場合において、垂直配向型液晶パネル１を透過する光は、垂直配向型液晶パネル１内の液晶層を通過するときに液晶分子の配向により、複屈折作用を受けて残留位相差が発生するが、この残留位相差は−Ｃ−プレート４により光学的に補償される。なお、この発明においては、垂直配向型液晶パネル１の面に対する傾斜角度は一定に固定されているため、液晶パネル毎のプレティルトのバラツキによるコントラストの低下については格別の調整が行われない。
【００３６】
また、入射側の偏光板２と出射側の偏光板３とが所謂クロスニコルに配置されていることにより、入射側の偏光板２に対し角度を持って入射した光が光漏れを起してコントラストが低下することについては、Ａ−プレート５の光軸５ａと、Ａ−プレート５に隣接する出射側の偏光板３の吸収軸３ａとを垂直に配置することにより改善されている。
【００３７】
なお、光軸５ａは、製品毎にその方向がばらつくが、これを是正して光軸５ａと吸収軸３ａとの垂直性を確保するために、ガラス基板７が回転方向Ｒａの回転角度が調整されている。この回転角度を変化させるとコントラストは図２の特性線図のように変化する。投写型映像表示装置の映像は、この特性線図に示されるように回転方向の略中心の近傍位置Ｃにおいて最高のコントラストとなり、このＣ点から離れるにつれコントラストが低下する特性を備えている。そこで、Ａ−プレート５の回転角の調整は、投影画面のコントラストを測定機器で測定するか目で確認しながら、コントラストが最高となるように位置調整が行われている。
【００３８】
実施の形態１に係る投写型映像表示装置は、以上のように構成されているので次のような効果を奏することができる。
（１）実施の形態１に係る投写型映像表示装置によれば、一対の対向基板間に液晶を封入した垂直配向型液晶パネル１と、垂直配向型液晶パネル１の入射側に配置された入射側の偏光板２と、この入射側の偏光板２に対し双方の吸収軸２ａ，３ａが互いに直交するように垂直配向型液晶パネル１の出射側に配置された出射側の偏光板３とを有する。そして、−Ｃ−プレート４が垂直配向型液晶パネル１の対向基板の外表面に積層されるため、従来必要とされていた−Ｃ−プレート４を積層するガラス基板を組み込むためのスペースや、このガラス基板の傾斜角度調整機構を設けるためのスペースが不要となる。これにより、−Ｃ−プレート４の、液晶分子のプレティルトのばらつきに起因するコントラルトの低下を補償する機能は発揮できなくなるが、冷却空気の通風路としてのスペースを拡大し、低騒音を維持しながら冷却性能を向上させることが可能となる。
【００３９】
（２）また、実施の形態１に係る投写型映像表示装置は、高コントラスト化よりも高輝度化の優先度が高いという市場ニーズを有するビジネス用投写型映像表示装置にマッチした製品を提供することができる。
【００４０】
（３）−Ｃ−プレート４を垂直配向型液晶パネル１の対向基板の外表面に接着するための接着剤６は、等方性を有し、かつ、熱変化による光学特性の変化が小さいものである。なお、このような接着剤６を使用しない場合、−Ｃ−プレート４は、コントラストにより部分的に温度が不均一となり、部分的にフィルムが伸縮される現象が繰り返され、終には経年変化によりフィルム面上に皺が形成される。このため、フィルム面上における屈折率の均一性が失われ、垂直配向型液晶パネル１における残留位相差を補償する機能が損なわれる恐れがある。しかしながら、上述のような接着剤を用いることにより、このような弊害を抑制することができる。
【００４１】
（４）前記接着剤６としては、具体的には、アクリル酸アルキルエステルを成分とするアクリル系ポリマーを用いたアクリル系感圧性接着剤とされている。このような接着剤６を用いることにより、前述の皺の発生を抑制し、垂直配向型液晶パネル１における残留位相差を補償する機能の劣化を抑制することができる。
【００４２】
（５）−Ｃ−プレート４は、垂直配向型液晶パネル１における出射側の対向基板に積層されているので、垂直配向型液晶パネル１と出射側の偏光板３との間に−Ｃ−プレート４を配置していた従来品について、構成機器の配置順序に共通性を残しながら、冷却空気の通風路としてのスペースを拡大して冷却性能を向上させることが可能となる。
【００４３】
（６）対向基板に−Ｃ−プレート４が積層された垂直配向型液晶パネル１と入射側の偏光板２又は出射側の偏光板３との間に、フィルム面内のｘ、ｙ方向の屈折率ｎｘ，ｎｙとフィルムの厚み方向の屈折率ｎｚとがｎｘ＞ｎｙ＝ｎｚの関係を有するＡ−プレート５が配置されている。これにより、所謂クロスニコルに配置された偏光板２，３の偏光軸直交性に関係するコントラスト低下の問題を緩和することができる。
【００４４】
（７）Ａ−プレート５がガラス基板７に積層されて取り付けられているので、Ａ−プレート５の組み込みを容易に行うことができる。
（８）Ａ−プレート５を積層したガラス基板７を、出射側の偏光板３の表面に垂直な軸を中心とした回転方向Ｒａの回転角度を調整することにより、Ａ−プレート５の光軸５ａの方向についての誤差を調整することができ、Ａ−プレート５による補償効果を確実化することができる。
【００４５】
（９）−Ｃ−プレート４が垂直配向型液晶パネル１の対向基板の外表面に積層されているので、位相差板としての調整作業は、従来のように２箇所で調整する必要がなく、Ａ−プレート５のみについて行えばよい。したがって、光学的補償プレートの調整作業が大幅に簡易化されている。
【００４６】
（１０）Ａ−プレート５は、垂直配向型液晶パネル１と出射側の偏光板３との間に配置されているので、垂直配向型液晶パネル１と出射側の偏光板３との間にＡ−プレート５を配置していた従来品について、構成機器の配置順序に共通性を残しながら、冷却空気の通風路としてのスペースを拡大して冷却性能を向上させることが可能となる。
【００４７】
（実施の形態２）
次に、実施の形態２に係る投写型映像表示装置について、図３に基づいて説明する。
実施の形態２は、実施の形態１において−Ｃ−プレート４の位置を変更したもので、この実施の形態においては、図３に示すように垂直配向型液晶パネル１の入射側の対向基板の外側表面に接着剤６により接着されて積層されている。
【００４８】
このように構成された投写型映像表示装置は、実施の形態１における（１）〜（４）及び（６）〜（１０）と同様の効果を奏するとともに、次の効果をも奏することができる。
（１１）−Ｃ−プレート４は、垂直配向型液晶パネル１における入射側の対向基板に積層されているので、垂直配向型液晶パネル１と入射側の偏光板２との間に−Ｃ−プレート４を配置していた従来品について、構成機器の配置順序に共通性を残しながら、冷却空気の通風路としてのスペースを拡大して冷却性能を向上させることが可能となる。
【００４９】
（実施の形態３）
次に、実施の形態３に係る投写型映像表示装置について、図４に基づいて説明する。
実施の形態３は、実施の形態１においてＡ−プレート５の位置を変更したもので、この実施の形態においては、図４に示すように入射側の偏光板２と垂直配向型液晶パネル１との間に、ガラス基板７の表面に接着により積層されたＡ−プレート５が配置されている。また、Ａ−プレート５は、この場合にはその光軸５ａが隣接する偏光板２の吸収軸２ａと直角を成すように配置されている。さらに、Ａ−プレート５を積層したガラス基板７は、入射側の偏光板２の表面に垂直な軸を中心とした回転方向Ｒａの回転角度を調整することにより、Ａ−プレート５の光軸５ａの方向についての誤差を調整することができるように構成されている。
【００５０】
このように構成された投写型映像表示装置は、実施の形態１における（１）〜（９）と同様の効果を奏するとともに、次の効果をも奏することができる。
（１２）Ａ−プレート５は、垂直配向型液晶パネル１と入射側の偏光板２との間に配置されているので、垂直配向型液晶パネル１と入射側の偏光板２との間にＡ−プレート５を配置していた従来品について、構成機器の配置順序に共通性を残しながら、冷却空気の通風路としてのスペースを拡大して冷却性能を向上させることが可能となる。
【００５１】
（実施の形態４）
次に、実施の形態４に係る投写型映像表示装置について、図５に基づいて説明する。
実施の形態４は、実施の形態２においてＡ−プレート５の位置を変更したもので、この実施の形態においては、図５に示すように入射側の偏光板２と垂直配向型液晶パネル１との間に、ガラス基板７の表面に接着により積層されたＡ−プレート５が配置されている。また、Ａ−プレート５は、この場合にはその光軸５ａが隣接する偏光板２の吸収軸と直角を成すように配置されている。また、Ａ−プレート５を積層したガラス基板７は、入射側の偏光板２の表面に垂直な軸を中心とした回転方向Ｒａの回転角度を調整することにより、Ａ−プレート５の光軸５ａの方向についての誤差を調整することができるように構成されている。
【００５２】
このように構成された投写型映像表示装置は、実施の形態１、２及び３における（１）〜（４）、（６）〜（９）、(１１)及び（１２）と同様の効果を奏することができる。
（変形例）
本発明は、上記実施の形態において以下のように変更することもできる。
【００５３】
・実施の形態１〜４において、Ａ−プレート５が配置されているが、このＡ−プレート５を用いないものとすることもできる。この場合も−Ｃ−プレート４を積層する格別のガラス基板を用いないので、冷却空気の通風路としてのスペースを拡大して冷却性能を向上させることができる。
【産業上の利用可能性】
【００５４】
本発明に係る投写型映像表示装置は、投写型映像表示装置、液晶テレビなどにおける液晶ライトバルブとして利用することができる。
【符号の説明】
【００５５】
Ｒａ…回転方向、１…垂直配向型液晶パネル、２…（入射側の）偏光板、２ａ…吸収軸、３…（出射側の）偏光板、３ａ…吸収軸、４…−Ｃ−プレート、５…Ａ−プレート、５ａ…光軸、６…接着剤、７…ガラス基板。
【図１】
2011013504.tif 000003
【図２】
2011013504.tif 000004
【図３】
2011013504.tif 000005
【図４】
2011013504.tif 000006
【図５】
2011013504.tif 000007
【図６】
2011013504.tif 000008